(57)【要約】【課題】仮設縦管を使わなくても給水用縦管の更新や更生を行えるようにする。【解決手段】第１住戸ＤＬの配管部分と第２住戸ＤＲの配管部分とをバイパス管１にて連結し、第１住戸用のバルブＶ２Ｌは“閉”にして、第２縦管ＡＲから両方の住戸ＤＬ，ＤＲに給水を行えるようにする。このような作業を各階について行って、各住戸への給水を確保する。そして、第１縦管ＡＬのバルブ（第１主バルブ）Ｖ１Ｌを閉じて水の供給を停止し、その状態で、該縦管ＡＬの更新又は更生を行う。メンテナンス工事中の各住戸への給水は、既設の第２縦管ＡＲを利用して行うことができるので、仮設の縦管を設置する必要が無く、資材や労力の低減を図ることができ、その分、工事費用も安くすることができる。【選択図】図２
2009179980.tif 000002
【特許請求の範囲】
【請求項１】
各階を貫通するように複数の給水用縦管が並設されてなる複数層建築物にて少なくとも１本の給水用縦管をメンテナンスする、複数層建築物における給水用縦管メンテナンス方法において、
所定の給水用縦管である第１縦管から給水を受けている第１住戸の配管部分と、該第１縦管とは別の給水用縦管である第２縦管から給水を受けている第２住戸の配管部分とをバイパス管にて連結する工程と、
前記第２縦管の水を、前記第２住戸だけでなく、前記バイパス管を介して前記第１住戸へも供給する工程と、
前記第１縦管への水の供給を停止する工程と、
水の供給が停止されている前記第１縦管をメンテナンスする工程と、
を備えたことを特徴とする、複数層建築物における給水用縦管メンテナンス方法。
【請求項２】
前記第１縦管のメンテナンスが終了した後に、該第１縦管への水の供給を再開して、該第１縦管の水を、前記第１住戸だけでなく、前記バイパス管を介して前記第２住戸へも供給する工程と、
前記第２縦管への水の供給を停止する工程と、
水の供給が停止されている前記第２縦管をメンテナンスする工程と、
を備えたことを特徴とする請求項１に記載の、複数層建築物における給水用縦管メンテナンス方法。
【請求項３】
前記メンテナンスとは、縦管を更新すること、又は縦管を更生することである、
ことを特徴とする請求項１又は２に記載の、複数層建築物における給水用縦管メンテナンス方法。
【発明の詳細な説明】
【技術分野】
【０００１】
本発明は、各階を貫通する給水用縦管が複数並設されてなる複数層建築物にて該給水用縦管をメンテナンスする、複数層建築物における給水用縦管メンテナンス方法に関する。
【背景技術】
【０００２】
複数層建築物（複数階建ての集合住宅や、複数階建ての他の建築物）の給水方法としては、代表的なものとして、図１２に示す高架水槽方式や、図１３に示すポンプ圧送方式が挙げられる。図１２中の符号１００は、水道本管（不図示）からの水を一時的に溜めておく受水槽を示し、符号１０１は、該受水槽１００の水を汲み上げるためのポンプを示し、符号１０２は、揚水管を示し、符号１０３は、該ポンプ１０１により汲み上げられた水を溜めるように屋上に設置された高架水槽を示し、符号１０４は、屋上に配置される横引管（以下、“屋上給水管”とする）を示し、符号Ａ１，Ａ２，…は、各階を貫通するように配置されている縦管を示し、符号Ｖ１１，Ｖ１２，…は、各縦管Ａ１，Ａ２，…に設置されたバルブを示す。また、図１３中の符号２００は受水槽を示し、符号２０１は給水ポンプを示す。
【０００３】
ところで、このような複数層建築物においては、縦管を更生したり更新したりするためにメンテナンス工事を行う場合があるが、そのための方法として幾つかの方法が提案されている（例えば、特許文献１及び２参照）。
【０００４】
図１５は、縦管を更新する従来工法の一例を示す斜視図であって、符号Ａｉは既設の給水用縦管を示し、符号Ｃｉは既設の横引管を示し、符号Ａｉ’は新設の給水用縦管を示し、符号Ｃｉ’は仮設の横引管を示し、符号Ｃｉ”は新設の横引管を示す。縦管の更新に際しては、
・  既設の給水用縦管Ａｉの近傍（例えば、メーターボックス内の余分なスペース）に新設の給水用縦管Ａｉ’を設置し、
・  仮設の横引管Ｃｉ’を図示のように配管して、住戸への給水を確保し、
・  その後、新設の給水用縦管Ａｉ’から住戸へは新設の横引管Ｃｉ”を介して給水を行い、仮設の横引管Ｃｉ’等は撤去する
ことが提案されていた。
【０００５】
また、ガス管や電線等が配置されていて既設縦管の周辺（例えば、メーターボックス内部）に余分なスペースが無い複数層建築物においての更生工事の場合は、工事期間中だけ給水を行うための縦管（以下、“仮設縦管”とする）をベランダの外側などに配置することが行われていた（図１６の破線３００参照）。具体的には、以下の作業が行われていた。
(1)   複数層建築物全体に仮設縦管３００や仮設の屋上給水管３０１を設置する。
(2)   全ての仮設縦管３００や仮設の屋上給水管３０１の設置が終了した時点で、既設縦管Ａ１，…への給水を停止し、高架水槽１０３から仮設縦管３００へ給水が行われるように工事する。例えば、符号３０２で示す部分（高架水槽１０３に近い箇所）で、既設の屋上給水管１０４を切断して分岐栓（不図示）を取り付け、該分岐栓に仮設の屋上給水管３０１を接続する。
(3)   各住戸の配管（横引管）を既設縦管Ａ１，Ａ２，…から外して仮設縦管３００に接続し直す。
(4)   全ての住戸につき上記(3)
の作業が終了した時点で、分岐栓のバルブ（不図示）を開き、仮設縦管経由で各住戸に水を供給する。
(5)   この状態で、既設縦管Ａ１，Ａ２，…には水が残っていないので、メンテナンス工事が可能となる。
(6)   メンテナンス工事が完了すると、各住戸の配管（横引管）を縦管（更新又は更生がなされた縦管）に接続してゆき、分岐栓のバルブを操作して高架水槽１０３から該縦管（更新又は更生がなされた縦管）への給水を再開する。
(7)   その後、不要となった仮設縦管３００や仮設の屋上給水管３０１を回収する。
【特許文献１】特許第３８０７６８９号公報
【特許文献２】特許第３９６１６４３号公報
【発明の開示】
【発明が解決しようとする課題】
【０００６】
しかしながら、図１６に示す工法の場合には、仮設縦管用のパイプやその他の資材が必要となり、仮設縦管を複数層建築物に設置するための労力も必要となるので、工事費用が高くなってしまうという問題があった。また、図１６に示す工法の場合には、既設の配管部分を切断して分岐栓を取り付ける等の大掛かりな工事（数時間程度の工事）が必要であり、仮設縦管３００に水を充填するのにも時間が掛かり（複数層建築物の大きさにもよるが、大体１時間程度）、各住戸においては配管（横引管）を仮設縦管３００に接続する等の工事が必要であり、その結果、断水時間が長時間（３〜５時間程度）になってしまうという問題があった。
【０００７】
本発明は、上述の問題を解消した、複数層建築物における給水用縦管メンテナンス方法を提供することを目的とするものである。
【課題を解決するための手段】
【０００８】
請求項１に係る発明は、各階を貫通するように複数の給水用縦管（図１２及び図１３の符号Ａ１，Ａ２，…参照）が並設されてなる複数層建築物（図１２及び図１３の符号Ｂ１，Ｂ２参照）にて少なくとも１本の給水用縦管をメンテナンスする、複数層建築物における給水用縦管メンテナンス方法において、
所定の給水用縦管である第１縦管（図２の符号ＡＬ参照）から給水を受けている第１住戸（ＤＬ）の配管部分と、該第１縦管とは別の給水用縦管である第２縦管（ＡＲ）から給水を受けている第２住戸（ＤＲ）の配管部分とをバイパス管（１）にて連結する工程（図２、及び図９のＳ１参照）と、
前記第２縦管（ＡＲ）の水を、前記第２住戸（ＤＲ）だけでなく、前記バイパス管（１）を介して前記第１住戸（ＤＬ）へも供給する工程（図３、及び図９のＳ２参照）と、
前記第１縦管（ＡＬ）への水の供給を停止する工程（図３、及び図９のＳ３参照）と、
水の供給が停止されている前記第１縦管（ＡＬ）をメンテナンスする工程（図４、図５、及び図９のＳ４参照）と、を備えたことを特徴とする。
【０００９】
請求項２に係る発明は、請求項１に係る発明において、前記第１縦管（ＡＬ）のメンテナンスが終了した後に、該第１縦管（ＡＬ）への水の供給を再開して、該第１縦管（ＡＬ）の水を、前記第１住戸（ＤＬ）だけでなく、前記バイパス管（１）を介して前記第２住戸（ＤＲ）へも供給する工程（図６、及び図９のＳ５参照）と、
前記第２縦管（ＡＲ）への水の供給を停止する工程（図６、及び図９のＳ６参照）と、
水の供給が停止されている前記第２縦管（ＡＲ）をメンテナンスする工程（図６、図７、及び図９のＳ７参照）と、を備えたことを特徴とする。
【００１０】
請求項３に係る発明は、請求項１又は２に係る発明において、前記メンテナンスとは、縦管を更新すること、又は縦管を更生することであることを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１及び３に係る発明によれば、メンテナンス工事中における前記第１住戸への給水は既設の第２縦管から行うようになっているので、従来の工法のように仮設縦管を設置する必要が無く、資材や労力の低減（削減）を図ることができ、その分、工事費用も安くすることができる。また、本発明によれば、各住戸においてバイパス管を連結する作業の間、及びバイパス管を外す作業の間だけ断水すれば足り、その断水時間は短くできる。
【００１３】
請求項２に係る発明によれば、給水経路を切り換えるという簡単な操作だけで第２縦管のメンテナンス工事が可能となる。
【発明を実施するための最良の形態】
【００１４】
以下、図１乃至図１４に沿って、本発明を実施するための最良の形態について説明する。ここで、図１は、メンテナンス工事を開始する以前の配管状態の一例を示す模式図（配管図）であり、図２は、各住戸の配管部分をバイパス管にて連結した状態を示す模式図（配管図）であり、図３は、各バルブを切り換えて各住戸への給水を第２縦管から行うようにした様子を示す模式図（配管図）であり、図４は、第１縦管を撤去する様子を示す模式図（配管図）であり、図５は、第１縦管を新設した様子を示す模式図（配管図）であり、図６は、各バルブを切り換えて各住戸への給水を第１縦管から行うと共に第２縦管を撤去する様子を示す模式図（配管図）であり、図７は、第２縦管を新設した様子を示す模式図（配管図）であり、図８は、バイパス管を撤去すると共に各バルブを切り換えて第１縦管及び第２縦管から各住戸へそれぞれ給水を行っている状態を示す模式図（配管図）であり、図９は、本発明に係る給水用縦管メンテナンス方法の手順の一例を示すフローチャート図であり、図１０は、分岐ユニットの構成の一例を示す模式図であり、図１１(a) は、メンテナンス工事前の配管状態の一例を示す断面図であり、同図(b) は、メンテナンス工事後の配管状態の一例を示す断面図であり、図１２は、給水方式に高架水槽方式を採用する複数層建築物の構造の一例を示す模式図であり、図１３は、給水方式にポンプ圧送方式を採用する複数層建築物の構造の一例を示す模式図であり、図１４は、３つの住戸の配管部分を２本のバイパス管にて連結した状態を示す模式図（配管図）である。
【００１５】
本発明に係る給水用縦管メンテナンス方法は、各階を貫通するように複数の給水用縦管（図１２及び図１３の符号Ａ１，Ａ２，…参照）が並設されてなる複数層建築物（複数階建ての建築物）Ｂ１，Ｂ２において少なくとも１本の給水用縦管をメンテナンスする方法である。
【００１６】
本発明に係る給水用縦管メンテナンス方法は、給水方式の種類を問わず実施することができ、図１２に示す高架水槽方式であっても、図１３に示すポンプ圧送方式であっても、それら以外の方式であっても実施することができる。また、本発明は上述したように“少なくとも１本”の給水用縦管をメンテナンスする方法であるから、その複数層建築物の全ての給水用縦管のメンテナンスを行う場合だけでなく、一部（１本又は複数本）の給水用縦管のメンテナンスを行った場合（残りの給水用縦管はメンテナンスを行わない場合、或いは残りの給水用縦管は本発明以外の方法でメンテナンスを行う場合の両方）も本発明の範囲に含まれる。
【００１７】
本発明に係る給水用縦管メンテナンス方法は、少なくとも次の(1) 〜(4) の工程からなる。すなわち、
(1)   所定の給水用縦管（以下、“第１縦管”とする。図２の符号ＡＬ参照）から給水を受けている第１住戸ＤＬの配管部分と、該第１縦管ＡＬとは別の給水用縦管（以下、“第２縦管”とする）ＡＲから給水を受けている第２住戸ＤＲの配管部分とをバイパス管１にて連結する工程（図２、及び図９のＳ１参照）
【００１８】
各住戸の配管部分に上述のバイパス管１を接続するには、該バイパス管１のための接続口（以下、“バイパス口”とする）を各住戸の配管部分が有している必要がある。図１に示すように、そのようなバイパス口を有していない住戸の場合には、配管部分の一部（例えば、第１横引管ＣＬ及び第２横引管ＣＲ）を、バイパス口を有する配管ユニット（以下、“分岐ユニット”とする。図２の符号ＵＬ，ＵＲ参照。）に取り替える必要がある。これらの分岐ユニットＵＬ，ＵＲは、図１０に詳示する構造のものであって、
・  縦管ＡＬ，ＡＲの側に接続される流入口Ｕ１と、
・  住戸の配管部分側に接続される流出口Ｕ２と、
・  新設の縦管が接続される流入口Ｕ３と、
・  バイパス管１が接続されるバイパス口Ｕ４と、
を有している。なお、流入口Ｕ３にはバルブＶ３が取り付けられていて、開閉できるように構成されている。また、流入口Ｕ１やバイパス口Ｕ４には閉塞蓋（不図示）を取り付けて閉塞できるようになっている（詳細は後述する）。さらに、符号Ｒで示すように減圧弁が取り付けられている。ところで、この分岐ユニットＵＬ，ＵＲは、２つの口（流入口Ｕ３とバイパス口Ｕ４）を新たに各住戸の配管部分に加えるものであるが、新設の縦管を流入口Ｕ１に接続すれば流入口Ｕ３を廃止しても良い。このような分岐ユニットＵＬ，ＵＲを各住戸に取り付けてバイパス管１で連結するには、各住戸用のバルブＶ２Ｌ，Ｖ２Ｒを閉じなければならないので、その間、各住戸は一時的に断水状態となる。なお、バイパス管１は、架橋ポリエチレンパイプ（例えば、エルメックス（登録商標））やステンレスフレキ管や耐圧ホース等で構成すると良い。また、図１等の符号ＭＬ，ＭＲは、各住戸に設けられたメーターを示す。
【００１９】
(2)   前記第２縦管ＡＲの水を、前記第２住戸ＤＲだけでなく、前記バイパス管１を介して前記第１住戸ＤＬへも供給する工程（図３、及び図９のＳ２参照）
【００２０】
第１住戸用のバルブＶ２Ｌを“閉”とし、第２住戸用のバルブＶ２Ｒを“開”とすることにより、第２縦管ＡＲからの水が図３に示す矢印の経路によって各住戸ＤＬ，ＤＲに供給され、断水状態は解消されることとなる。このような作業を、第１縦管ＡＬから水の供給を受けている各階の住戸（つまり、各階の第１住戸ＤＬ）と、第２縦管ＡＲから水の供給を受けている各階の住戸（つまり、各階の第２住戸ＤＲ）とについて行うと良い。
【００２１】
(3)   前記第１縦管ＡＬへの水の供給を停止する工程（図３、及び図９のＳ３参照）
第１縦管ＡＬに取り付けられているバルブ（第１主バルブＶ１Ｌ）を閉めて、水の供給を停止すると良い。この工程は、次の(4) の工程の前に実施されている必要があるが、前記(2) の工程の後で無くても良く、該(2) の工程の前でも、前記(1) の工程の前に実施しても良い。
【００２２】
(4)   水の供給が停止されている前記第１縦管ＡＬをメンテナンスする工程（図４、図５、及び図９のＳ４参照）
本明細書におけるメンテナンスとは、
・  既設の給水用縦管を新設の縦管（例えば、ステンレス製の縦管）に更新すること
・  既設の給水用縦管を更生すること（例えば、縦管内面のさびを落として、エポキシコーティングをすること）
の両方を含む概念である。なお、図４では前記第１縦管ＡＬを撤去し、図５では新設の第１縦管ＡＬＮを第１住戸用分岐ユニットＵＬの流入口（図１０の符号Ｕ３参照）に接続している。既設の第１縦管ＡＬを撤去した後の流入口（図１０の符号Ｕ１参照）には閉塞蓋（不図示）を取り付けて閉塞する。それらの作業、つまり、新設の第１縦管ＡＬＮの第１住戸用分岐ユニットＵＬへの接続等は全ての階について行う必要がある。
【００２３】
本発明によれば、メンテナンス工事中における前記第１住戸ＤＬへの給水は既設の第２縦管ＡＲから行うようになっているので、図１６に示す工法のように仮設縦管を設置する必要が無く、資材や労力の低減（削減）を図ることができ、その分、工事費用も安くすることができる。また、本発明によれば、各住戸においてバイパス管１を連結する作業の間、及びバイパス管１を外す作業の間だけ断水すれば足り、その断水時間は１０分程度と短くできる。さらに、このバイパス管１は、給水用縦管のメンテナンスが終了した段階で不要となって取り外すことができるので、他のメンテナンス工事に使い回しすることができ、工事費用を安くすることができる。
【００２４】
ところで、上述のように第１縦管ＡＬのメンテナンスが終了した時点で、次の(5) 〜(7) の工程を実施しても良い。すなわち、
(5)   前記第１縦管ＡＬのメンテナンスが終了した後に、該第１縦管ＡＬへの水の供給を再開して、該第１縦管ＡＬの水を、前記第１住戸ＤＬだけでなく、前記バイパス管１を介して前記第２住戸ＤＲへも供給する工程（図６、及び図９のＳ５参照）
図６に示す構成のものでは、第１主バルブＶ１Ｌを“開”にして第１縦管ＡＬへの水の供給を再開し、第１住戸用の分岐ユニットＵＬのバルブＶ３を“開”にし、第２住戸用のバルブＶ２Ｒを“閉”にすると、図示の矢印のように水が供給されることとなる。
【００２５】
(6)   前記第２縦管ＡＲへの水の供給を停止する工程（図６、及び図９のＳ６参照）
本工程は、前記(4)
の工程の後であって、次の(7) の工程の前に実施されていれば足り、必ずしも(5) と(7) の間に実施されている必要は無い。
【００２６】
(7)   水の供給が停止されている前記第２縦管ＡＲをメンテナンスする工程（図６、図７、及び図９のＳ７参照）
第２縦管ＡＲのメンテナンス（更新又は更生）を行うと良い。なお、図６では前記第２縦管ＡＲを撤去し、図７では新設の第２縦管ＡＲＮを第２住戸用分岐ユニットＵＲの流入口（図１０の符号Ｕ３参照）に接続している。既設の第２縦管ＡＲを撤去した後の流入口（図１０の符号Ｕ１参照）には閉塞蓋（不図示）を取り付けて閉塞する。それらの作業、つまり、新設の第２縦管ＡＲＮの第２住戸用分岐ユニットＵＲへの接続は全ての階について行う必要がある。
【００２７】
なお、以上のように、第１縦管ＡＬと第２縦管ＡＲのメンテナンスが終了すると、バイパス管１を撤去する。撤去に際しては、第１住戸用の分岐ユニットＵＬのバルブＶ３と第２住戸用の分岐ユニットＵＲのバルブＶ３の両方を“閉”にしてバイパス管１への水の供給を停止した状態で行う必要がある。バイパス管１を撤去した後のバイパス口Ｕ４には閉塞蓋（不図示）を取り付けて閉塞する。その後、図８に示すように、第１住戸用の分岐ユニットＵＬのバルブＶ３と第２住戸用の分岐ユニットＵＲのバルブＶ３の両方を“開”にして、各住戸ＤＬ，ＤＲへの給水を再開する。上述の(1) 〜(7) の工程を繰り返して実施することにより、複数層建築物の全ての給水用縦管のメンテナンスを行うことができる。
【００２８】
ところで、上述の(5) 〜(7) の工程は実施せずに(1) 〜(4) までを実施して第１縦管ＡＬを太径の新設縦管に更新し、既設の第２縦管ＡＲは更新も更生もせずにそのまま放置（或いは撤去）して、太径の新設縦管で２住戸分（或いは３住戸以上分）の給水を行うようにしても良い。例えば、図１１(a)
に示すように、第１住戸ＤＬが第１縦管ＡＬからの給水を受け、第２住戸ＤＲが第２縦管ＡＲからの給水を受けている場合において、同図(b)
に符号ＡＬＮで示すように、第１縦管ＡＬを太径の新設縦管ＡＬＮに更新して、該太径の新設縦管ＡＬＮから第１住戸ＤＬ及び第２住戸ＤＲの両方に水を供給するようにしても良い。これにより、給水用縦管の本数を減らすことができる。なお、この図１１(a) (b) は、各住戸のドアＥＬ，ＥＲの前（ドアの外）に互いに隣接するようにメーターボックスがあり、各メーターボックスには、縦管ＡＬ，ＡＲや横引管ＣＬ，ＣＲが収納されている状態を示すものである。この図１１(a)
(b) では、第１住戸ＤＬと第２住戸ＤＲとが隣接する場合を示しているが、もちろんこれに限られるものではなく、隣接していない住戸であっても同様に工事をすることができる。また、給水用縦管を１本だけにして、該１本の給水用縦管から全住戸へ（各階毎に全住戸へ）水を供給するようにしても良い。
【００２９】
ところで、図１〜図８に示す例では、１つの住戸（第１住戸ＤＬ）と１つの住戸（第２住戸ＤＲ）とを１本のバイパス管１にて連結しているが、もちろんこれに限られるものではなく、以下の態様も本発明の範囲に含まれる。すなわち、
・  図１４に例示するように、複数の第１住戸ＤＬ１，ＤＬ２（図では２戸であるが、３戸以上であっても良い）と１つの第２住戸ＤＲとを複数（２本又はそれ以上）のバイパス管１Ａ，１Ｂにて連結してそれら複数の第１住戸ＤＬ１，ＤＬ２に第２住戸ＤＲの側から給水を行い（矢印参照）、複数の第１住戸ＤＬ１，ＤＬ２の縦管（つまり、複数の第１縦管ＡＬ１，ＡＬ２）のメンテナンスを同時に行う態様
・  １つの第１住戸と複数の第２住戸とを複数のバイパス管にて連結して１つの第１住戸に複数の第２住戸の側から給水を行い、該第１住戸の縦管（つまり、第１縦管）のメンテナンスを行う態様
・  複数の第１住戸と複数の第２住戸とを複数のバイパス管にて連結してそれら複数の第１住戸に第２住戸の側から給水を行い（第１縦管の本数と第２縦管の本数は同じであっても異なっていても良い）、複数の第１住戸の縦管（つまり、複数の第１縦管）のメンテナンスを同時に行う態様。例えば、図１２に符号Ａ１，…示すように給水用縦管の本数が６本の場合、４本の給水用縦管（第１縦管）からの給水を受けている住戸（各階につき４つの第１住戸）の配管部分を、残りの２本の給水用縦管（第２縦管）からの給水を受けている住戸（各階につき２つの第２住戸）の配管部分とを複数本のバイパス管にて連結して、第２住戸の側から第１住戸の側に水を供給して４本の第１縦管のメンテナンスを行うことが可能となる。但し、仮設期間とはいえ、１本の縦管でまかなえる給水量には限界はあるので、まかなえる住戸数をあらかじめ計算し、何本までが同時供給可能かを算定しておく必要がある。
【００３０】
なお、バイパス管で連結する住戸が同じ階で隣接していると、バイパス管１を短くできて配管作業が簡単で好ましいが、もちろんこれに限られるものではなく、
・  バイパス管で連結する住戸（２つ、又はそれ以上の住戸）が隣接していなくて離れている場合
・  バイパス管で連結する住戸（２つ、又はそれ以上の住戸）が異なる階にある場合
を、本発明の範囲から除外するものでは無い。
【図面の簡単な説明】
【００３１】
【図１】図１は、メンテナンス工事を開始する以前の配管状態の一例を示す模式図（配管図）である。
【図２】図２は、各住戸の配管部分をバイパス管にて連結した状態を示す模式図（配管図）である。
【図３】図３は、各バルブを切り換えて各住戸への給水を第２縦管から行うようにした様子を示す模式図（配管図）である。
【図４】図４は、第１縦管を撤去する様子を示す模式図（配管図）である。
【図５】図５は、第１縦管を新設した様子を示す模式図（配管図）である。
【図６】図６は、各バルブを切り換えて各住戸への給水を第１縦管から行うと共に第２縦管を撤去する様子を示す模式図（配管図）である。
【図７】図７は、第２縦管を新設した様子を示す模式図（配管図）である。
【図８】図８は、バイパス管を撤去すると共に各バルブを切り換えて第１縦管及び第２縦管から各住戸へそれぞれ給水を行っている状態を示す模式図（配管図）である。
【図９】図９は、本発明に係る給水用縦管メンテナンス方法の手順の一例を示すフローチャート図である。
【図１０】図１０は、分岐ユニットの構成の一例を示す模式図である。
【図１１】図１１(a) は、メンテナンス工事前の配管状態の一例を示す断面図であり、同図(b)は、メンテナンス工事後の配管状態の一例を示す断面図である。
【図１２】図１２は、給水方式に高架水槽方式を採用する複数層建築物の構造の一例を示す模式図である。
【図１３】図１３は、給水方式にポンプ圧送方式を採用する複数層建築物の構造の一例を示す模式図である。
【図１４】図１４は、３つの住戸の配管部分を２本のバイパス管にて連結した状態を示す模式図（配管図）である。
【図１５】図１５は、縦管を更新する従来工法の一例を示す斜視図である。
【図１６】図１６は、縦管を更新する従来工法の他の例を示す模式図である。
【符号の説明】
【００３２】
１                バイパス管
Ａ１，Ａ２，…     給水用縦管
ＡＬ                第１縦管（給水用縦管）
ＡＲ                第２縦管（給水用縦管）
Ｂ１，Ｂ２    複数層建築物
ＤＬ                第１住戸
ＤＲ                第２住戸
【図１】
2009179980.tif 000003
【図２】
2009179980.tif 000004
【図３】
2009179980.tif 000005
【図４】
2009179980.tif 000006
【図５】
2009179980.tif 000007
【図６】
2009179980.tif 000008
【図７】
2009179980.tif 000009
【図８】
2009179980.tif 000010
【図９】
2009179980.tif 000011
【図１０】
2009179980.tif 000012
【図１１】
2009179980.tif 000013
【図１２】
2009179980.tif 000014
【図１３】
2009179980.tif 000015
【図１４】
2009179980.tif 000016
【図１５】
2009179980.tif 000017
【図１６】
2009179980.tif 000018